(57)【特許請求の範囲】
【請求項１】
埋設された中空構造体の上端部に設けられる受け枠部により支持される鉄蓋を開閉するための鉄蓋開閉装置において、
前記鉄蓋に対して上下軸心まわりで回動可能に支持されたロック部材と、該ロック部材に対して上下方向に抜け止めされて摺動可能にかつ上下軸心まわりで一体に回動可能に嵌合されるとともに前記鉄蓋の開口を貫通して上下軸心まわりで回動自在に延びる把手部材と、を備え、
前記ロック部材の第１の回動位置では、該ロック部材の上部に形成されたフランジ部と該ロック部材の下部に形成された係合突起との間で前記鉄蓋の一部と前記受け枠部の一部を挟むことにより前記鉄蓋を前記受け枠部に対して閉じ位置にロックし、
前記ロック部材の第２の回動位置では、該ロック部材の上部に形成されたフランジ部が前記鉄蓋の一部に係合するだけにして前記ロックを解除し該鉄蓋を前記把手部材により開蓋可能にすることを特徴とする鉄蓋開閉装置。
【請求項２】
前記把手部材は、前記ロック部材の貫通孔に対して軸方向凹凸係合部を介して軸方向に摺動可能に嵌合する棒状本体部と、該棒状本体部の上端部に設けられた把手部と、該棒状本体部の下端部に設けられた抜け止めストッパ部と、から成ることを特徴とする請求項１に記載の鉄蓋開閉装置。
【発明の詳細な説明】
【０００１】
【発明の属する技術分野】
本発明は、地中に埋設された中空構造体の地面近傍の上端部に設けられる受け枠部により支持される鉄蓋を開閉するための鉄蓋開閉装置に関する。
【０００２】
【従来の技術】
特に、都市部あるいはその近郊の地下には、水道、ガスあるいは電気などを供給するための布設管が埋設されており、これらの布設管には切換弁などの制御弁あるいはコネクターやブレーカー等が適宜接続されており、これらを路面上から操作したり、保守点検したり、更にこれらを保護するとともに設置場所を明示する必要がある。この目的のために、中空構造の埋設筐を地中に埋設状態で設置することが行なわれている。なお、マンホールの場合にも、同様の埋設筐を設置することがある。
【０００３】
上記の地中に設置される中空構造体の地面（路面）近傍の上端開口部は鉄蓋によって開閉可能に覆われている。この鉄蓋は、前記中空構造体の上端部に設けられる受け枠部の鉄蓋支持面により路面（地面）と略同一高さに嵌合支持されている。また、前記鉄蓋は、前記受け枠部に対して鉄蓋連結構造により開閉可能に連結されており、その一側部分を持ち上げて上方へ回動させて開くように、その反対側部分で前記受け枠部に対して回動可能に連結されている。
【０００４】
【発明が解決しようとする課題】
しかしながら、この種の鉄蓋連結構造の従来構成では、鉄蓋を持ち上げて開いたり鉄蓋を受け枠内に位置決めして閉じるのに特殊で大型の治工具を必要とし、また、その作業に多大の労力を必要とし、作業性がわるく取扱いが困難である技術的課題があった。
【０００５】
本発明はこのような技術的課題に鑑みてなされたものであり、本発明の目的は、鉄蓋を開閉するための開閉手段をコンパクトな構成で鉄蓋自体に備付けで設けることができ、鉄蓋を開けるための特別な開閉作業用の治具を必要とせず、作業性及び取扱い性にすぐれた鉄蓋開閉装置を提供することである。
【０００６】
【課題解決のための手段】
本発明（請求項１）は、上記目的を達成するため、埋設された中空構造体の上端部に設けられる受け枠部により支持される鉄蓋を開閉するための鉄蓋開閉装置において、前記鉄蓋に対して上下軸心まわりで回動可能に支持されたロック部材と、該ロック部材に対して上下方向に抜け止めされて摺動可能にかつ上下軸心まわりで一体に回動可能に嵌合されるとともに前記鉄蓋の開口を貫通して上下軸心まわりで回動自在に延びる把手部材と、を備え、前記ロック部材の第１の回動位置では、該ロック部材の上部に形成されたフランジ部と該ロック部材の下部に形成された係合突起との間で前記鉄蓋の一部と前記受け枠部の一部を挟むことにより前記鉄蓋を前記受け枠部に対して閉じ位置にロックし、前記ロック部材の第２の回動位置では、該ロック部材の上部に形成されたフランジ部が前記鉄蓋の一部に係合するだけにして前記ロックを解除し該鉄蓋を前記把手部材により開蓋可能にすることを特徴とする。
【０００７】
請求項２の発明は、上記請求項１の構成に加えて、前記把手部材は、前記ロック部材の貫通孔に対して軸方向凹凸係合部を介して軸方向に摺動可能に嵌合する棒状本体部と、該棒状本体部の上端部に設けられた把手部と、該棒状本体部の下端部に設けられた抜け止めストッパ部と、から成る構成とすることにより、上記目的を達成するものである。
【０００８】
【発明の実施の形態】
以下、図面を参照して本発明の実施の形態を説明する。図１は本発明を適用した鉄蓋開閉装置の一実施例を備えた埋設筐の鉄蓋を閉じた状態を示す図４中の線１−１に沿った縦断面図であり、図２は図１の埋設筐において鉄蓋を開いた状態を示す縦断面図であり、図３は図４中の線３−３に沿った縦断面図であり、図４は図１の埋設筐の平面図であり、図５は本発明を適用した鉄蓋開閉装置の一実施例の要部の鉄蓋ロック状態を示す部分縦断面図であり、図６は図５の鉄蓋開閉装置の要部の鉄蓋アンロック（ロック解除）状態を示す部分縦断面図である。
【０００９】
図１〜図６において、地下に埋設された筒状（図示の例では長方形断面の筒状）の制水弁筐やマンホール等の中空構造体（埋設構造物、埋設筐）１の上端面には、中央開口を有する環状（図示の例では四角の環状）の受け枠部２が設けられており、この受け枠部２の開口部に同様の形状（四角形状）をした鉄蓋３が嵌合支持されている。図中の符号４は地面（又は路面）の高さ位置を例示するものである。前記受け枠部２及び前記鉄蓋３は、通常、ダクタイル鋳鉄等の鋳造品で作られており、前記埋設筐（中空構造体）１はその構造や大きさに応じてコンクリート（レジンコンクリート等の特殊コンクリートを含む）や鋳造品（鋳鉄など）など種々の材質で作ることができる。また、前記受け枠部２が前記埋設筐１に一体に設けられる場合は、両者は同じ材質で形成される。
【００１０】
前記鉄蓋３は、その周縁の一部（図示の例では一方の短辺部）において、前記受け枠部２に対してリンク機構から成る鉄蓋連結手段１０を介して開閉可能（又は持ち上げ可能）に取り付けられている。図示の例では、前記鉄蓋連結手段１０は所定間隔をおいた２箇所に平列状態で設けられた連結部で構成されているが、これは１箇所又は３箇所以上に設けた連結部で構成してもよい。前記鉄蓋連結手段１０が設けられた辺の反対側の辺（対向する辺）には、把手付きの鉄蓋開閉装置５０が設けられている。この鉄蓋開閉装置５０は、鉄蓋３を図１の閉じ位置にロックするとともに、ロックを解除して該鉄蓋３を持ち上げて開放するためのものである。
【００１１】
前記鉄蓋連結手段１０は、受け枠部２に対して、２つのリンク部材１１、１２を介して鉄蓋３を連結するように構成されている。つまり、前記鉄蓋３は、水平方向連結軸１３により連結された第１及び第２のリンク部材１１、１２を介して前記受け枠部２に連結されている。そして、前記第１のリンク部材１１は、他端部で前記受け枠部２の内部に設けられた水平方向連結軸１４に回動自在に連結されており、前記第２のリンク部材１２は、他端部で前記鉄蓋３の内側に設けられた水平方向連結軸１５に回動自在に連結されている。
【００１２】
図１〜図６において、前記鉄蓋開閉装置５０は、ロック部材５１と把手部材５２とを備えている。この把手部材５２は、上下方向に延びる棒状本体部５３と該棒状本体部の上端部に設けられた把手部５４と該棒状本体部の下端部に設けられた抜け止めストッパ部５５とを備えている。一方、前記ロック部材５１は、前記棒状本体部５３に上下方向摺動自在に嵌合されており、筒状本体部５６と該筒状本体部の上端部に設けられたフランジ部５７と該筒状本体部の下端部に設けられたアーム部（係合突起部）５８とで構成されている。
【００１３】
そして、前記把手部材５２は、前記鉄蓋３に形成された開口（貫通孔）６４（図５、図６）を通してその棒状本体部５３が延出し、その上端の把手部５４が図示のように鉄蓋３の上側（外面）に位置している。さらに、前記ロック部材５１の内径と前記棒状本体部５３の外径とには、回転方向には一体に回動するが軸方向には互いに摺動可能に両者５１、５３を係合させるための凹凸係合部（軸方向に延びる凹溝部と凸条部）が設けられている。そして、前記ロック部材５１は、前記把手部５４と前記抜け止めストッパ部５５により、前記棒状本体部５３から抜け落ちないように装着されている。
【００１４】
図１及び図５に示す鉄蓋ロック状態では、前記ロック部材５１は、そのフランジ部５７と係合突起部（アーム部）５８との間で受け枠部２の一部と鉄蓋３の一部を挟むような回転位置にあり、該鉄蓋３は図示の閉じ状態にロックされている。鉄蓋３を開く場合は、路面（地面）上から前記把手部５４を握って把手部材５２を持ち上げるとともに所定角度回転させることにより、図６に示すような前記係合突起部５８をアンロック（ロック解除）位置にし、次いで、前記把手部材５２をさらに持ち上げることにより前記ロック部材５１を介して該鉄蓋３を持ち上げ、該鉄蓋３を前記鉄蓋連結手段１０のリンク作動を利用しながら上向きに回動させ、図２に示すような鉄蓋開き状態にする。
【００１５】
前記係合突起部（アーム部）５８は、前記把手部材５２で前記ロック部材５１を回動させることにより、図５に示すようにフランジ部５７との間で鉄蓋３の一部及び受け枠部２の一部を同時に挟むことで該鉄蓋３を閉じ位置にロックするロック位置と、図６に示すように前記鉄蓋３の一部（係合部）の下面から離脱することで前記フランジ部５７が鉄蓋３に係合するだけのアンロック位置（ロック解除位置）と、に選択的に設定される。なお、図示の例では、受け枠部２の内周面には、鉄蓋３を嵌合支持するための張り出し部６７が形成され、該張り出し部６７の上面には鉄蓋３との間を密閉するためのパッキン６８が装着されている。
【００１６】
そして、鉄蓋ロック時には、図５に示すように、前記係合突起部（アーム部）５８が前記張り出し部６７の下側に位置することで、該鉄蓋３を閉じ位置にロック（固定）するようになっている。鉄蓋のアンロック時（ロック解除時）には、図６に示すように、前記把手部材５２を介して前記ロック部材５１を回動させることにより、前記係合突起部（アーム部）５８を前記張り出し部６７の下面から離脱させ、該ロック部材５１を鉄蓋３にのみ係合させるようになっている。
【００１７】
そこで、鉄蓋３を開く際には、前述のように、把手部材５２を持ち上げて前記係合突起部５８を図６に示すようなアンロック（ロック解除）位置にし、次いで、前記把手部材５２をさらに持ち上げることにより前記ロック部材５１を介して該鉄蓋３を持ち上げ、該鉄蓋３を前記鉄蓋連結手段１０のリンク作動を利用しながら上向きに回動させ、図２に示すような鉄蓋開き状態にする。
【００１８】
図２に示す鉄蓋開き状態においては、鉄蓋３の上面が受け枠部２の前記鉄蓋連結手段１０側の上端内周縁１９に当接し、該鉄蓋３は図示のような上方外向き方向に傾斜した安定した姿勢で開き位置に保持される。この図２の鉄蓋開き状態では、鉄蓋３の下面（内面）と受け枠部２の上端面との間の角度α（図２）を約１３５度に設定することが好ましい。その理由は、鉄蓋３の開き位置での安定保持と鉄蓋３の開閉作業の容易化とを配慮したことにある。そして、このような鉄蓋開閉装置５０によれば、鉄蓋３を開閉するための開閉手段をコンパクトな構成で鉄蓋自体に備付けで設けることができ、鉄蓋３を開けるための特別な開閉作業用の治具を必要とせず、作業性及び取扱い性にすぐれた鉄蓋開閉装置が得られる。
【００１９】
図７は前記ロック部材５１の平面図（ａ）及び線ｂ−ｂに沿った中心部縦断面図（ｂ）である。図７において、ロック部材５１は、筒状本体部５６と該筒状本体部の上端部に設けられたフランジ部５７と該筒状本体部の下端部に設けられた係合突起部（アーム部）５８とから成っており、前記筒状本体部５６の中心部に貫通孔６１が形成されている。そして、この貫通孔６１の内周面の相対向する位置（２箇所）には縦方向溝から成る凹部６２が形成されている。前記フランジ部５７は図５及び図６に示すように鉄蓋３の一部の上面及び他の一部の下面に常に係合している。
【００２０】
図８は前記把手部材５２の正面図（ａ）及び側面図（ｂ）である。図８において、把手部材５２は、棒状本体部５３と該棒状本体部の上端部に設けられた把手部（ハンドル部）５４と該棒状本体部の下端部に設けられた抜け止めストッパ部５５とから成っており、前記棒状本体部５３の外周面の相対向する位置（２箇所）には縦方向突条から成る凸部６３が設けられている。この凸部６３は、前記ロック部材５１の内径面の縦方向溝から成る凹部６２と軸方向摺動（スライド）可能に係合する。こうして、前記ロック部材５１は、前記把手部材５２と一体に回動するが、軸方向には摺動（スライド）可能に装着されている。そして、前記棒状本体部５３は、図１、図２、図５、図６に示すように鉄蓋３に形成された孔（開口）６４を通して該鉄蓋３の上面（外面）側へ突出しており、従って、前記把手部５４は、常に鉄蓋３の上面（外面）側に位置しており、通常時には、図１、図４及び図５に示すように、鉄蓋３の上面に形成された凹部６５（図５、図６）内に嵌入保持されている。
【００２１】
図９は鉄蓋３における前記ロック部材５１及び前記把手部材５２が装着される部分の図１０中の線９−９に沿った部分縦断面図であり、図１０は鉄蓋３を図９中の線１０−１０に沿って下方から見た部分底面図である。図９及び図１０において、開口（孔）６４は把手部材５２の棒状本体部５３が挿通される孔であり、その下側に所定間隔をおいてＵ字状の張り出し部６６が形成されており、前記棒状本体部５３に嵌合されたロック部材５１のフランジ部５７は図５及び図６に示すように前記開口６４の周囲部分と前記張り出し部６６との間の空間に位置しており、該ロック部材５１は前記把手部材５２とともにに鉄蓋３側に取り付けられている。
【００２２】
以上説明した実施例によれば、埋設された中空構造体１の上端部に設けられる受け枠部２により支持される鉄蓋３を開閉するための鉄蓋開閉装置５０において、前記鉄蓋３に対して上下軸心まわりで回動可能に支持されたロック部材５１と、該ロック部材に対して上下方向に抜け止めされて摺動可能にかつ上下軸心まわりで一体に回動可能に嵌合されるとともに前記鉄蓋３の開口６４を貫通して上下軸心まわりで回動自在に延びる把手部材５２と、を備え、前記ロック部材５１の第１の回動位置では、該ロック部材の上部に形成されたフランジ部５７と該ロック部材の下部に形成された係合突起５８との間で前記鉄蓋の一部と前記受け枠部の一部を挟むことにより前記鉄蓋を前記受け枠部に対して閉じ位置にロックし、前記ロック部材５１の第２の回動位置では、該ロック部材の上部に形成されたフランジ部５７が前記鉄蓋３の一部に係合するだけにして前記ロックを解除し該鉄蓋３を前記把手部材５２により開蓋可能にした鉄蓋開閉装置５０が得られる。
【００２３】
なお、上記実施例では、鉄蓋３（及び受け枠部２）が長方形をした四角断面の埋設筐の場合を例示したが、本発明は、円形断面や、多角形断面など、埋設筐の断面形状に関係なく広く適用可能であり、同様の作用効果が得られるものである。また、埋設筐あるいは中空構造体の種類、構造（一体型、積み重ね構造、内外嵌合型など）、大きさ、使用目的などにも関係なく広く適用可能であり、同様の作用効果が得られるものである。さらに、受け枠部が中空構造体と一体に形成される場合にも同様に適用可能であり、同様の作用効果を得ることができる。
【００２４】
【発明の効果】
以上の説明から明らかなごとく、本発明（請求項１）によれば、埋設された中空構造体の上端部に設けられる受け枠部により支持される鉄蓋を開閉するための鉄蓋開閉装置において、前記鉄蓋に対して上下軸心まわりで回動可能に支持されたロック部材と、該ロック部材に対して上下方向に抜け止めされて摺動可能にかつ上下軸心まわりで一体に回動可能に嵌合されるとともに前記鉄蓋の開口を貫通して上下軸心まわりで回動自在に延びる把手部材と、を備え、前記ロック部材の第１の回動位置では、該ロック部材の上部に形成されたフランジ部と該ロック部材の下部に形成された係合突起との間で前記鉄蓋の一部と前記受け枠部の一部を挟むことにより前記鉄蓋を前記受け枠部に対して閉じ位置にロックし、前記ロック部材の第２の回動位置では、該ロック部材の上部に形成されたフランジ部が前記鉄蓋の一部に係合するだけにして前記ロックを解除し該鉄蓋を前記把手部材により開蓋可能にする構成としたので、鉄蓋を開閉するための開閉手段をコンパクトな構成で鉄蓋自体に備付けで設けることができ、鉄蓋を開けるための特別な開閉作業用の治具を必要とせず、作業性及び取扱い性にすぐれた鉄蓋開閉装置が提供される。
【図面の簡単な説明】
【図１】本発明を適用した鉄蓋開閉装置の一実施例を備えた埋設筐の鉄蓋を閉じた状態を示す図４中の線１−１に沿った縦断面図である。
【図２】図１の埋設筐において鉄蓋を開いた状態を示す縦断面図である。
【図３】図４中の線３−３に沿った縦断面図である。
【図４】図１の埋設筐の平面図である。
【図５】本発明を適用した鉄蓋開閉装置の一実施例の要部の鉄蓋ロック状態を示す部分縦断面図である。
【図６】図５の鉄蓋開閉装置の要部の鉄蓋のロックを解除した状態を示す部分縦断面図である。
【図７】図１中のロック部材の平面図（ａ）及び線ｂ−ｂに沿った中心部縦断面図（ｂ）である。
【図８】図１中の把手部材の正面図（ａ）及び側面図（ｂ）である。
【図９】図１中の鉄蓋におけるロック部材及び把手部材が装着される部分の図１０中の線９−９に沿った部分縦断面図である。
【図１０】図９中の線１０−１０に沿って鉄蓋を下方から見た部分底面図である。
【符号の説明】
１      中空構造体（埋設筐）
２      受け枠部
３      鉄蓋
４      地面（路面）
１０    鉄蓋連結手段
１１    リンク部材
１２    リンク部材
１３    水平方向連結軸
１４    水平方向連結軸
１５    水平方向連結軸
５０    鉄蓋開閉装置
５１    ロック部材
５２    把手部材
５３    棒状本体部（把手部材）
５４    把手部（把手部材）
５５    抜け止めストッパ部（把手部材）
５６    筒状本体部（ロック部材）
５７    フランジ部（ロック部材）
５８    係合突起部（アーム部）
６１    貫通孔（ロック部材）
６２    縦方向溝（ロック部材）
６３    縦方向突条（把手部材）
６４    孔（開口）
６５    凹部
６６    張り出し部（鉄蓋）
６７    張り出し部（受け枠部）
６８    パッキン
【図１】
0003741409.tif 000002
【図２】
0003741409.tif 000003
【図３】
0003741409.tif 000004
【図４】
0003741409.tif 000005
【図５】
0003741409.tif 000006
【図６】
0003741409.tif 000007
【図７】
0003741409.tif 000008
【図８】
0003741409.tif 000009
【図９】
0003741409.tif 000010
【図１０】
0003741409.tif 000011